(57)【要約】【課題】資産の取引に関する安全なプラットフォームを提供すること。【解決手段】本発明は、資産情報を匿名化してブロックチェーンネットワークに保存する資産情報登録方法である。少なくとも対象物の第１情報を暗号化した第１暗号情報をブロックチェーンネットワークにおける第１ブロックに書き込むとともに、管理データベースに第１暗号情報と第１情報とを関連付けて登録するステップと、対象物の第１情報に変更が生じた際に、当該変更を反映した第２情報と第１暗号情報とに基づいて暗号化された第２暗号情報をブロックチェーンネットワークにおける第２ブロックに書き込むとともに、管理データベースに第２暗号情報と第２情報とを関連付けて登録するステップと、を少なくとも含んでいる。【選択図】図６
2020086634.tif 000002
【特許請求の範囲】
【請求項１】
資産情報を匿名化してブロックチェーンネットワークに保存する資産情報登録方法であって、
少なくとも対象物の第１情報を暗号化した第１暗号情報を前記ブロックチェーンネットワークにおける第１ブロックに書き込むとともに、管理データベースに前記第１暗号情報と前記第１情報とを関連付けて登録するステップと、
前記対象物の第１情報に変更が生じた際に、当該変更を反映した第２情報と前記第１暗号情報とに基づいて暗号化された第２暗号情報を前記ブロックチェーンネットワークにおける第２ブロックに書き込むとともに、前記管理データベースに前記第２暗号情報と前記第２情報とを関連付けて登録するステップと、
を少なくとも含み、
利用者に対して、前記管理データベースへのアクセスを許可するステップと、
前記対象物に関する前記第２暗号情報を取得した前記利用者が、前記管理データベースにアクセスすることにより、当該第２暗号情報に関連付けられた前記第２情報を特定するステップと、
を含む
資産情報登録方法。
【請求項２】
請求項１に記載の資産情報登録方法であって、
前記第１情報及び前記第２情報は、少なくとも、前記資産のオーナー情報及び属性情報を含み得る、
資産情報登録方法。
【請求項３】
請求項２に記載の資産情報登録方法であって、
前記変更は、前記対象物のオーナー情報の変更である、
資産情報登録方法。
【請求項４】
請求項１乃至請求項３のいずれかに記載の資産情報登録方法であって、
前記資産は自動車であり、前記第１情報及び前記第２情報は、車両情報及び使用履歴情報を更に含む、
資産情報登録方法。
【発明の詳細な説明】
【技術分野】
【０００１】
本発明は資産情報登録方法に関し、特にブロックチェーンネットワークを利用した資産の安全な取引の仕組みに関する。
【背景技術】
【０００２】
近年、有形無形を問わず、様々な資産（コンテンツ）の流通を促す仕組み（プラットフォーム）が提案されている。
【０００３】
特許文献１には、デジタルコンテンツを売買するための電子商取引システムが提案されている。この電子商取引システムでは、デジタルコンテンツの販売者は、デジタルコンテンツの開発への投資額やデジタルコンテンツの販売のための営業への投資額等を回収し且つ利益が得られるようにデジタルコンテンツの価格を設定する。
【先行技術文献】
【特許文献】
【０００４】
【特許文献１】特開２０１０−２７２０３３号公報
【発明の概要】
【発明が解決しようとする課題】
【０００５】
上述した技術は、例えば、コンテンツのように内容に変更が加えられない（即ち、オリジナルの状態で点々流通）することが念頭に置かれており、例えば、仕様に基づく刑事変化等の情報を付加することが何ら考慮されていない。
【０００６】
そこで、本発明は、資産の取引に関する安全なプラットフォームを提供することを一つの目的とする。
【課題を解決するための手段】
【０００７】
本発明によれば、
資産情報を匿名化してブロックチェーンネットワークに保存する資産情報登録方法であって、
少なくとも対象物の第１情報を暗号化した第１暗号情報を前記ブロックチェーンネットワークにおける第１ブロックに書き込むとともに、管理データベースに前記第１暗号情報と前記第１情報とを関連付けて登録するステップと、
前記対象物の第１情報に変更が生じた際に、当該変更を反映した第２情報と前記第１暗号情報とに基づいて暗号化された第２暗号情報を前記ブロックチェーンネットワークにおける第２ブロックに書き込むとともに、前記管理データベースに前記第２暗号情報と前記第２情報とを関連付けて登録するステップと、
を少なくとも含み、
利用者に対して、前記管理データベースへのアクセスを許可するステップと、
前記対象物に関する前記第２暗号情報を取得した前記利用者が、前記管理データベースにアクセスすることにより、当該第２暗号情報に関連付けられた前記第２情報を特定するステップと、
を含む
資産情報登録方法が得られる。
【発明の効果】
【０００８】
本発明によれば、資産の取引に関する安全なプラットフォームを提供することができる。
【図面の簡単な説明】
【０００９】
【図１】本発明の実施の形態によるシステムの構成例を示す図である。
【図２】図１の管理サーバのハードウェア構成を示すブロック図である。
【図３】図１のユーザ端末のハードウェア構成を示すブロック図である。
【図４】本実施の形態によるシステムの処理の概念図である。
【図５】本実施の形態による管理サーバによって管理されるデータベースのデータテーブル例である。
【図６】本実施の形態によるシステムにおいて、暗号情報から対象物の情報を特定する処理のイメージを示す図である。
【発明を実施するための形態】
【００１０】
本発明の実施形態の内容を列記して説明する。本発明の実施の形態によるコンテンツ・プラットフォームシステムは、以下のような構成を備える。
［項目１］
資産情報を匿名化してブロックチェーンネットワークに保存する資産情報登録方法であって、
少なくとも対象物の第１情報を暗号化した第１暗号情報を前記ブロックチェーンネットワークにおける第１ブロックに書き込むとともに、管理データベースに前記第１暗号情報と前記第１情報とを関連付けて登録するステップと、
前記対象物の第１情報に変更が生じた際に、当該変更を反映した第２情報と前記第１暗号情報とに基づいて暗号化された第２暗号情報を前記ブロックチェーンネットワークにおける第２ブロックに書き込むとともに、前記管理データベースに前記第２暗号情報と前記第２情報とを関連付けて登録するステップと、
を少なくとも含み、
利用者に対して、前記管理データベースへのアクセスを許可するステップと、
前記対象物に関する前記第２暗号情報を取得した前記利用者が、前記管理データベースにアクセスすることにより、当該第２暗号情報に関連付けられた前記第２情報を特定するステップと、
を含む
資産情報登録方法。
［項目２］
項目１に記載の資産情報登録方法であって、
前記第１情報及び前記第２情報は、少なくとも、前記資産のオーナー情報及び属性情報を含み得る、
資産情報登録方法。
［項目３］
項目２に記載の資産情報登録方法であって、
前記変更は、前記対象物のオーナー情報の変更である、
資産情報登録方法。
［項目４］
項目１乃至項目３のいずれかに記載の資産情報登録方法であって、
前記資産は自動車であり、前記第１情報及び前記第２情報は、車両情報及び使用履歴情報を更に含む、
資産情報登録方法。
【００１１】
＜実施の形態の詳細＞
以下、本発明の実施の形態による資産情報登録方法を具現化する取引情報登録システム（以下「システム」という）ついて、図面を参照しながら説明する。
【００１２】
＜概要＞
本発明の実施の形態によるシステムは、例えば、自動車や不動産をはじめとする、資産（財産権、所有権その他権利共有主体によって取引可能なあらゆる権利）に関する、履歴（所有履歴、取引履歴、ステータス履歴等）をブロックチェーンネットワーク上において匿名化しつつトレース可能にする、所謂、分散型台帳技術を利用したシステムである。
【００１３】
＜構成＞
図１に示されるように、管理サーバ（資産管理サーバ）１は、ユーザ（顧客）２０ａの資産２ａを管理する。管理サーバ１は、ユーザ（取引者等）の端末（ユーザ端末）２とネットワーク（インターネット等であり、ブロックチェーンネットワークを含む）３を介して接続される。
【００１４】
本実施の形態において、少なくとも管理サーバ１及び利用者端末２ｂは、ブロックチェーンネットワークにおいて共同管理される台帳（ブロックチェーン）にアクセス・参照可能に接続されている。
【００１５】
＜ハードウェア構成＞
本実施の形態による管理サーバ１とユーザ端末２とは、以下のようなハードウェア構成を有する。なお、以下の構成は一例であり、これ以外の構成を有していても良い。
【００１６】
＜管理サーバ１＞
図２に示されるように、管理サーバ１は、ユーザ端末２ａ及びユーザ端末２ｂと通信を介して情報処理を実行することにより、システムの一部を構成する。管理サーバ１は、例えばワークステーションやパーソナルコンピュータのような汎用コンピュータとしてもよいし、或いはクラウド・コンピューティングによって論理的に実現されてもよい。
【００１７】
管理サーバ１は、少なくとも、プロセッサ１０、メモリ１１、ストレージ１２、送受信部１３、入出力部１４等を備え、これらはバス１５を通じて相互に電気的に接続される。
【００１８】
プロセッサ１０は、管理サーバ１全体の動作を制御し、各要素間におけるデータの送受信の制御、及びアプリケーションの実行に必要な情報処理等を行う演算装置である。例えばプロセッサ１０はＣＰＵ（Ｃｅｎｔｒａｌ  Ｐｒｏｃｅｓｓｉｎｇ  Ｕｎｉｔ）であり、ストレージ１２に格納されメモリ１１に展開されたプログラム等を実行して各情報処理を実施する。
【００１９】
メモリ１１は、ＤＲＡＭ（Ｄｙｎａｍｉｃ  Ｒａｎｄｏｍ  Ａｃｃｅｓｓ  Ｍｅｍｏｒｙ）等の揮発性記憶装置で構成される主記憶と、フラッシュメモリやＨＤＤ（Ｈａｒｄ  Ｄｉｓｃ  Ｄｒｉｖｅ）等の不揮発性記憶装置で構成される補助記憶と、を含む。メモリ１１は、プロセッサ１０のワークエリア等として使用され、また、管理サーバ１の起動時に実行されるＢＩＯＳ（Ｂａｓｉｃ  Ｉｎｐｕｔ  ／  Ｏｕｔｐｕｔ  Ｓｙｓｔｅｍ）、及び各種設定情報等を格納する。
【００２０】
ストレージ１２は、アプリケーション・プログラム、及びブロックチェーンネットワークに対する認証プログラムやマイニングプログラム等の各種プログラムを格納する。各処理に用いられるデータを格納したデータベースがストレージ２２に構築されていてもよい。
【００２１】
送受信部１３は、管理サーバ１をネットワーク３に接続する。なお、送受信部１３は、Ｂｌｕｅｔｏｏｔｈ（登録商標）及びＢＬＥ（Ｂｌｕｅｔｏｏｔｈ  Ｌｏｗ  Ｅｎｅｒｇｙ）の近距離通信インタフェースを備えていてもよい。
【００２２】
入出力部１４は、必要に応じて使用するキーボード・マウス類等の情報入力機器、及びディスプレイ等の出力機器である。
【００２３】
バス１５は、上記各要素に共通に接続され、例えば、アドレス信号、データ信号及び各種制御信号を伝達する。
【００２４】
＜ユーザ端末２＞
図３に示されるように、ユーザ端末２は、管理サーバ１と通信を介して情報処理を実行することにより、配送システムの一部を構成する。ユーザ端末２は、例えばワークステーションやパーソナルコンピュータのような汎用コンピュータであってもよいし、スマートフォン等の携帯通信機器等であってもよい。
【００２５】
ユーザ端末２は、少なくとも、プロセッサ２０、メモリ２１、ストレージ２２、送受信部２３、入出力部２４等を備え、これらはバス２５を通じて相互に電気的に接続される。
【００２６】
上述した管理サーバ１と同様に、プロセッサ２０は、ユーザ端末２全体の動作を制御し、各要素間におけるデータの送受信の制御、及びアプリケーションの実行に必要な情報処理等を行う演算装置である。例えばプロセッサ２０はＣＰＵ（Ｃｅｎｔｒａｌ  Ｐｒｏｃｅｓｓｉｎｇ  Ｕｎｉｔ）であり、ストレージ２２に格納されメモリ２１に展開されたプログラム等を実行して各情報処理を実施する。
【００２７】
メモリ２１は、ＤＲＡＭ（Ｄｙｎａｍｉｃ  Ｒａｎｄｏｍ  Ａｃｃｅｓｓ  Ｍｅｍｏｒｙ）等の揮発性記憶装置で構成される主記憶と、フラッシュメモリやＨＤＤ（Ｈａｒｄ  Ｄｉｓｃ  Ｄｒｉｖｅ）等の不揮発性記憶装置で構成される補助記憶と、を含む。メモリ２１は、プロセッサ２０のワークエリア等として使用され、また、ユーザ端末２の起動時に実行されるＢＩＯＳ（Ｂａｓｉｃ  Ｉｎｐｕｔ  ／  Ｏｕｔｐｕｔ  Ｓｙｓｔｅｍ）、及び各種設定情報等を格納する。
【００２８】
ストレージ２２は、アプリケーション・プログラム、及びブロックチェーンネットワークに対する認証プログラムやマイニングプログラム等の各種プログラムを格納する。各処理に用いられるデータを格納したデータベースがストレージ２２に構築されていてもよい。
【００２９】
送受信部２３は、ユーザ端末２をネットワーク３に接続する。なお、送受信部２３は、Ｂｌｕｅｔｏｏｔｈ（登録商標）及びＢＬＥ（Ｂｌｕｅｔｏｏｔｈ  Ｌｏｗ  Ｅｎｅｒｇｙ）の近距離通信インタフェースを備えていてもよい。
【００３０】
入出力部２４は、必要に応じて使用するキーボード・マウス類等の情報入力機器、及びディスプレイ等の出力機器である。
【００３１】
バス２５は、上記各要素に共通に接続され、例えば、アドレス信号、データ信号及び各種制御信号を伝達する。
＜動作＞
【００３２】
続いて、図４乃至図６を参照して、本システムの動作について説明する。なお、以下の実施の形態においては、ユーザの資産として「自動車」を例に説明をするが、本システムは、他の資産も同様に適用可能である。
【００３３】
図４に示されるように、時間（ｔｉｍｅ）軸に沿って、ユーザＡ、ユーザＢ及びユーザＣの順に同一の自動車が譲渡取引される。自動車Ｃｓ０１乃至Ｃｓ０３は、全て同一の自動車であるが、自機に応じてその状態（走行距離等）が異なっているため異なる参照符号を付している。
【００３４】
ユーザＡが自動車Ｃｓ０１を新車で購入した際に、ブロックチェーン上の任意のブロックＢｋ＃０１内にハッシュ情報（暗号情報）が生成される。ハッシュ情報は、当該ブロックチェーンにおいて許容されるフリーメッセージ機能を利用することとしてもよい。
【００３５】
自動車Ｃｓ０１は例えば、車種情報Ｒ６００ＸＬ、走行距離０ｋｍ、オーナーＡという資産情報を有しており、当該資産情報は、所定のハッシュ関数によってハッシュ化されることによって、上述したハッシュ情報が生成される。その結果、ブロックＢｋ＃０１内には例えば「ｗＴ０９８ｓｓＥ」というハッシュ情報が生成される。この際、同時に、自動車の管理者（自動車のメーカや自動車の販売店等）は、資産情報と、ハッシュ情報とを関連付けて管理サーバに送信する（管理サーバの資産データベース（ＤＢ）には、図５に示される管理テーブルが生成される：詳しくは後述する）。
【００３６】
続いて、自動車Ｃｓ０１がユーザＡからユーザＢに譲渡される。ユーザＢが取得した時には自動車Ｃｓ０２の資産情報は、車種情報Ｒ６００ＸＬ、走行距離４０００ｋｍ、オーナーＢという情報となる。この時、当該新たな情報と、既に登録されていたハッシュ情報「ｗＴ０９８ｓｓＥ」とがハッシュ化されることによって、新たなハッシュ情報が生成される。その結果、ブロックＢｋ＃０２内には、例えば「Ｒｋｐｏｋ５ｓＺ」というハッシュ情報が生成される。上記と同様に、新たなハッシュ情報は自動車Ｃｓ０２の情報と関連付けて管理サーバに送信される。
【００３７】
更に、自動車Ｃｓ０２がユーザＢからユーザＣに譲渡される。ユーザＣが取得した時には自動車Ｃｓ０３の資産情報は、車種情報Ｒ６００ＸＬ、走行距離１２０００ｋｍ、修復歴あり、オーナーＣという情報となる。この時、当該新たな情報と、既に登録されていたハッシュ情報「Ｒｋｐｏｋ５ｓＺ」とがハッシュ化されることによって、新たなハッシュ情報が生成される。その結果、ブロックＢｋ＃０３内には、例えば「Ｇｑ０８３ｓｋｄ」というハッシュ情報が生成される。上記と同様に、新たなハッシュ情報は自動車Ｃｓ０３の情報と関連付けて管理サーバに送信される。
【００３８】
以上のように、自動車がユーザＡ乃至ユーザＣに点々と流通した場合、譲渡された際の自動車の状態と、最新のハッシュ情報とに基づいてハッシュ情報が生成される。ブロックチェーン上には、匿名化された資産情報が存在し続けることとなる。
【００３９】
管理サーバは、図５に示される資産ＤＢを有している。資産ＤＢは、ハッシュ情報（ＩＤ）とそれに対応する資産情報（車種、走行距離、オーナー、修復歴等があるがこれに限られない）とを関連づけて保存するデータベースである。即ち、ハッシュ情報をキーに検索すれば、そのハッシュ情報に対応する情報が取り出せることとなる。なお、図５に示されるデータベースのデータテーブルは、自動車Ｃｓ０１乃至自動車Ｃｓ０３までの情報全てを格納することとしている。
【００４０】
続いて、図６を参照して、資産情報を確認したい者が本システムを利用して資産情報を紹介する場合を説明する。なお、利用者は、例えば、自動車の販売店の者などのように、管理サーバへのアクセス権限を（部分的に又は全部）付与された者である。
【００４１】
例えば、ユーザＣが自動車Ｃｓ０３を他のユーザに譲渡しようとして、販売店舗スタッフ（利用者）に相談した場合、当該利用者は、ユーザＣから自動車Ｃｓ０３に関するハッシュ情報「Ｇｑ０８３ｓｋｄ」を取得する。取得の方法は、たとえば、車検証やオーナーズカード、その他の情報を確認できるあらゆる媒体から取得することとしてもよい。
【００４２】
利用者は、ハッシュ情報「Ｇｑ０８３ｓｋｄ」がブロックチェーン上に存在する情報か否かを確認する。次いで、管理サーバにログイン等行い、ハッシュ情報を入力する。資産ＤＢは、ハッシュ情報「Ｇｑ０８３ｓｋｄ」に該当する自動車の情報を出力する。これにより、利用者は、ユーザＣのハッシュ情報が正当なものであることをブロックチェーン上で確認することができ、かつ、その内容についてはクローズドな資産ＤＢで確認することが可能となる。
【００４３】
ハッシュ情報は、トレース可能な情報としてブロックチェーン上に残り続けることにより、改ざんをすることができないことから、情報の安全性及び県労政が担保される。
【００４４】
上述した実施の形態は、本発明の理解を容易にするための例示に過ぎず、本発明を限定して解釈するためのものではない。本発明は、その趣旨を逸脱することなく、変更、改良することができると共に、本発明にはその均等物が含まれることは言うまでもない。
【符号の説明】
【００４５】
１        管理サーバ
２        ユーザ端末
３        ネットワーク
【図１】
2020086634.tif 000003
【図２】
2020086634.tif 000004
【図３】
2020086634.tif 000005
【図４】
2020086634.tif 000006
【図５】
2020086634.tif 000007
【図６】
2020086634.tif 000008